(57)【特許請求の範囲】
【請求項１】
延在面内の一部に開口部が形成された薄片状体からなる中間カード片と、
延在面内方向に前記中間カード片の前記開口部と略同一の外形寸法を有し、前記中間カード片の前記開口部に嵌め込まれた薄板状物と、
延在面内方向に前記中間カード片と実質的に同一の外形寸法を有する薄片状体からなり、延在面内の一部に前記中間カード片の前記開口部よりも小さい外形寸法の表窓部が形成され、表面に前記薄板状物と関連がある絵柄が形成され、延在面内方向の外周が前記中間カード片の延在面内方向の外周と実質的に一致するように裏面が前記中間カード片の表面に貼着された表カード片と、
延在面内方向に前記中間カード片と実質的に同一の外形寸法を有する薄片状体からなり、延在面内の一部に前記中間カード片の前記開口部よりも小さい外形寸法の裏窓部が形成され、裏面に前記薄板状物と関連がある絵柄が形成され、延在面内方向の外周が前記中間カード片の延在面内方向の外周と実質的に一致するように表面が前記中間カード片の裏面に貼着された裏カード片と、からなり、
前記表カード片の前記表窓部と、前記裏カード片の前記裏窓部とは共に、延在面内方向において、前記中間カード片の前記開口部が形成された領域に完全に包含される領域に形成されているトレーディングカードにおいて、
延在面内方向において、前記表カード片の前記表窓部が形成された領域と、前記裏カード片の前記裏窓部が形成された領域との内の一方のみに包含され、他方には包含されない領域が実質的に存在することを特徴とするトレーディングカード。
【請求項２】
前記表カード片の前記表窓部と、前記裏カード片の前記裏窓部とは、延在面内方向の形状及び寸法の一方又は両方が異なることを特徴とする請求項１に記載のトレーディングカード。
【請求項３】
前記表カード片の前記表窓部と、前記裏カード片の前記裏窓部との一方又は両方は、延在面内方向に複数形成されていることを特徴とする請求項１又は請求項２に記載のトレーディングカード。
【請求項４】
前記中間カード片の前記開口部は、延在面内方向に複数形成されており、
前記中間カード片の複数の前記開口部のそれぞれに１枚ずつ、前記薄板状物が嵌め込まれており、
且つ、前記中間カード片の複数の前記開口部のそれぞれに対応して、前記表カード片の前記表窓部及び前記裏カード片の前記裏窓部が形成されていることを特徴とする請求項１乃至請求項３のいずれか一つに記載のトレーディングカード。
【請求項５】
前記中間カード片が、延在面内方向に同一形状の複数枚が積層された形態よりなることを特徴とする請求項１乃至請求項４のいずれか一つに記載のトレーディングカード。
【発明の詳細な説明】
【０００１】
【発明の属する技術分野】
本発明は、野球、サッカー、相撲、レスラー、テニス、バレーボール等のスポーツ選手、やアイドル、歌手、役者等の芸能人、やマンガのキャラクター等を印刷したトレーディングカードに関し、特にカードに窓を設け、その絵柄に関連する薄板状物を窓部に設けたトレーディングカードに関するものである。
薄板状物とは、例えば、スポーツ選手のユニホームの一部、芸能人の身に付けていた衣類の一部、直筆の紙片等、絵柄と関連があり薄板状になるものであれば特に限定しない。
【０００２】
【従来の技術】
従来の技術は、特許第３０７８５１１号に開示されているように「同じ位置にそれぞれ窓の開いた２枚の外側台紙と、これらの外側台紙と同じサイズで且つ前記窓より一回り大きな開口の開いた中間台紙と、この中間台紙の開口と略同じ大きさで且つ外側台紙に印刷された絵柄と関連性のあるシート片とからなり、中間台紙の開口にシート片が入った状態で２枚の外側台紙が中間台紙の両面にそれぞれ貼り合わせられてなることを特徴とするトレーディングカード。」が知られている。しかし、これは窓が同じ位置にあり（明細書中に同じ形状と記載してないが、実施の形態等同じ形状で説明してあり、特に形状を変えることを示唆する文言もないので同じ形状と看做す）、同じ形状なので面白味がないことと、窓の部分の強度が不足するおそれがある。
【０００３】
また、前記特許の別発明には、片面のみに窓があるものが開示されている。しかし、これは、強度はあるが片面のみなので両面から見えるものに対して変化に乏しいという問題がある。
【０００４】
【発明が解決しようとする課題】
本発明は、上記問題点を解決すべく、両面に窓があり強度的にも強く、見た目にも面白みが増大するトレーディングカードを提供することを課題とする。
【０００５】
【課題を解決するための手段】
請求項１に記載の発明は、延在面内の一部に開口部が形成された薄片状体からなる中間カード片と、延在面内方向に前記中間カード片の前記開口部と略同一の外形寸法を有し、前記中間カード片の前記開口部に嵌め込まれた薄板状物と、延在面内方向に前記中間カード片と実質的に同一の外形寸法を有する薄片状体からなり、延在面内の一部に前記中間カード片の前記開口部よりも小さい外形寸法の表窓部が形成され、表面に前記薄板状物と関連がある絵柄が形成され、延在面内方向の外周が前記中間カード片の延在面内方向の外周と実質的に一致するように裏面が前記中間カード片の表面に貼着された表カード片と、延在面内方向に前記中間カード片と実質的に同一の外形寸法を有する薄片状体からなり、延在面内の一部に前記中間カード片の前記開口部よりも小さい外形寸法の裏窓部が形成され、裏面に前記薄板状物と関連がある絵柄が形成され、延在面内方向の外周が前記中間カード片の延在面内方向の外周と実質的に一致するように表面が前記中間カード片の裏面に貼着された裏カード片と、からなり、前記表カード片の前記表窓部と、前記裏カード片の前記裏窓部とは共に、延在面内方向において、前記中間カード片の前記開口部が形成された領域に完全に包含される領域に形成されているトレーディングカードにおいて、延在面内方向において、前記表カード片の前記表窓部が形成された領域と、前記裏カード片の前記裏窓部が形成された領域との内の一方のみに包含され、他方には包含されない領域が実質的に存在することを特徴とするトレーディングカードである。このような形態としたので、窓（表窓部、裏窓部）が表裏でずれているため窓部の薄板状物の背面に前記カード片（表カード片、裏カード片）の窓枠部分（表窓部、裏窓部の周辺部分）がくるので、薄板状物のみの場合より強度がでる。
【０００６】
請求項２に記載の発明は、前記表カード片の前記表窓部と、前記裏カード片の前記裏窓部とは、延在面内方向の形状及び寸法の一方又は両方が異なることを特徴とする請求項１に記載のトレーディングカードである。このような形態としたので、請求項１の作用効果を有しながら、さらに変化に富み面白さも増大し、貴重なレアカードとしての価値も高まる。
【０００７】
請求項３に記載の発明は、前記表カード片の前記表窓部と、前記裏カード片の前記裏窓部との一方又は両方は、延在面内方向に複数形成されていることを特徴とする請求項１又は請求項２に記載のトレーディングカードである。このような形態としたので、こぶりな複数の窓から見える効果と窓部の強度も十分に得られる。
【０００８】
請求項４に記載の発明は、前記中間カード片の前記開口部は、延在面内方向に複数形成されており、前記中間カード片の複数の前記開口部のそれぞれに１枚ずつ、前記薄板状物が嵌め込まれており、且つ、前記中間カード片の複数の前記開口部のそれぞれに対応して、前記表カード片の前記表窓部及び前記裏カード片の前記裏窓部が形成されていることを特徴とする請求項１乃至請求項３のいずれか一つに記載のトレーディングカードである。このような形態としたので、薄板状物を複数種保持することができ、よりレア性が高まり、価値も増大する。
【０００９】
請求項５に記載の発明は、前記中間カード片が、延在面内方向に同一形状の複数枚が積層された形態よりなることを特徴とする請求項１乃至請求項４のいずれか一つに記載のトレーディングカードである。このような形態としたので、薄板状物の厚さによる調整が可能となり、薄板状物をきっちり保持可能とする。
【００１０】
【発明の実施の形態】
実施の形態を図面を用いて詳細に説明する。図１の（イ）、（ロ）、（ハ）は本発明のトレーディングカードのカード部材の分解説明図である。１はカード片、２は中間カード片、３はカード片、５は窓（表窓部、裏窓部）、７は開口部であり、カード片１とカード片３は一方が表（表カード片）なら他方は裏（裏カード片）となる関係である。図２の（ニ）、（ホ）、（ヘ）、（ト）は本発明のトレーディングカードの製造過程を示す説明図である。（ニ）は図１の（イ）に（ロ）を重ねた状態を示している。（ホ）は前記（ニ）の中間カード２の開口部７に薄板状物４をセットし貼着した状態を示している。（ヘ）は（ホ）に図１の（ハ）を重ねて貼着した状態を示す説明図である。（ト）は（ヘ）を反対側から見た状態を示す。このように表裏の窓（表窓部、裏窓部）の位置がずれて（すなわち、トレーディングカードの延在面内方向において、表カード片の表窓部が形成された領域と、裏カード片の裏窓部が形成された領域との内の一方のみに包含され、他方には包含されない領域が実質的に存在して）いるので、表から見た薄板状物と裏から見た薄板状物の位置がずれ絵柄とのデザイン上の調整が可能となる。また、薄板状物のみの部分が表裏同じ位置に窓があるものより小さくなり、強度が得られる。薄板状物４の大きさは中間カード片２の窓７より少し小さめの方が好ましい。
【００１１】
図３は図２のトレーディングカード６を長手方向で切断し分解して、部材の位置関係を示す説明図である。上からカード片１、中間カード片２、薄板状物４、カード片３となる。５は窓、７は開口部である。
図４は図３を重ねて貼着しトレーディングカード６となったときの断面説明図である。
【００１２】
図５の（チ）、（リ）、（ヌ）は本発明の別の実施の形態を示す分解説明図である。窓の形を四角（チ）とハート形（ヌ）にし中間カード片２（リ）の開口部７を四角としたものである。表側は四角の薄板状物が見え、裏側はハート形の薄板状物が見えるので、変化があり面白味が増す。
【００１３】
図６の（ル）、（ヲ）、（ヨ）は本発明のまた別の実施の形態を示す分解説明図である。窓の形を円形（ル）と星形（ヨ）にし中間カード片２（ヲ）の開口部７を円形としたものである。表側は円形の薄板状物が見え、裏側は星形の薄板状物が見えるので、変化があり面白味が増す。
【００１４】
図７の（タ）、（レ）、（ソ）は本発明のさらに別の実施の形態を示す分解説明図である。窓の形を四角（タ）と八角形の小窓を９個（ソ）にし中間カード片２（レ）の開口部７を四角としたものである。表側は四角の薄板状物が見え、裏側は八角形の小窓を９個から薄板状物が見えるので、変化があり面白味が増す。また、薄板状物の部分の強度が補強される効果がある。
【００１５】
図８の（ツ）、（ネ）、（ケ）は本発明のさらにまた別の実施の形態を示す分解説明図である。カード片１（ツ）には四角の窓５が２つあり、カード片３（ケ）にはハート形の窓５が２つあり、中間カード片２（ネ）には開口部７が２つある。すなわち、薄板状物を２セットあるいは２種類の薄板状物をセット可能になり、変化、面白味が倍増する。これは２種類の同じ形状としているが、形状を変えても良い。
【００１６】
図９の（フ）、（コ）、（エ）、（テ）は本発明のさらにまた別の実施の形態を示す分解説明図である。図１に示したトレーディングカードの中間カード片を（コ）、（テ）のように同じ形状のものを２枚貼着して構成したものである。本実施の形態では２枚であるが、薄板状物の厚さにより複数枚（２枚以上）で調整可能である。よって、薄板状物の厚さが多少異なっても良好に保持できる。
【００１７】
【実施例】
以下図面を用いて実施例を説明する。
＜実施例１＞
図１に示す形状のカード片と中間カード片及び開口部７より０．５ｍｍ小さいユニフォームの薄板状物（布切れ）を用いて、図２に示すようなトレーディングカード６を作製した。絵柄はプロ野球の選手の写真を印刷し、その写真の選手が着ていたユニフォームの薄板状物をセットした。裏面には異なるポーズの絵柄を用い、窓の位置も絵柄に合わせ位置をずらした。表裏から画像とユニフォームが見えて、ファンにはたまらない魅力のあるトレーディングカードができた。
【００１８】
＜実施例２＞
図７に示す形状のカード片と中間カード片及び開口部７より０．５ｍｍ小さい衣装の薄板状物（布切れ）を用いて、実施例１と同様にトレーディングカードを作製した。絵柄は女優の写真を印刷し、その状優が着ていた衣装の薄板状物（布切れ）を使用した。これにより、単に絵柄だけのトレーディングカードに比べて希少価値が増大しマニアにとっては宝物になるほどのものとなった。また、表の四角から見える衣装と裏面から見える水玉状の衣装が変化と面白味を増した。
【００１９】
【発明の効果】
請求項１に記載の発明は、窓が絵柄により位置をずらすことができデザイン上も有利である。また、窓が表裏でずれているため窓部の薄板状物の背面に前記カード片の窓枠部分がくるので、薄板状物のみの場合より強度がでる。
【００２０】
請求項２に記載の発明は、請求項１の作用効果を有しながら、さらに変化に富み面白さも増大し、貴重なレアカードとしての価値も高まる。
【００２１】
請求項３に記載の発明は、複数の窓から見える効果と窓部の強度も十分に得られる。
【００２２】
請求項４に記載の発明は、薄板状物を複数種保持することができ、よりレア性が高まり、価値も増大する。
【００２３】
請求項５に記載の発明は、薄板状物の厚さによる微調整が可能となり、薄板状物をきっちり保持可能とする。
【図面の簡単な説明】
【図１】（イ）、（ロ）、（ハ）は本発明のトレーディングカードのカード部材の分解説明図である。
【図２】（ニ）、（ホ）、（ヘ）、（ト）は本発明のトレーディングカードの製造過程を示す説明図である。
【図３】図２のトレーディングカード６を長手方向で切断し分解して、部材の位置関係を示す説明図である。
【図４】図３を重ねて貼着しトレーディングカード６となったときの断面説明図である。
【図５】（チ）、（リ）、（ヌ）は本発明の別の実施の形態を示す分解説明図である。
【図６】（ル）、（ヲ）、（ヨ）は本発明のまた別の実施の形態を示す分解説明図である。
【図７】（タ）、（レ）、（ソ）は本発明のさらに別の実施の形態を示す分解説明図である。
【図８】（ツ）、（ネ）、（ケ）は本発明のさらにまた別の実施の形態を示す分解説明図である。
【図９】（フ）、（コ）、（エ）、（テ）は本発明のさらにまた別の実施の形態を示す分解説明図である。
【符号の説明】
１、３…カード片  ２…中間カード片  ４…薄板状物  ５…窓  ６…トレーディングカード  ７…開口部
【図１】
0004479077.tif 000002
【図２】
0004479077.tif 000003
【図３】
0004479077.tif 000004
【図４】
0004479077.tif 000005
【図５】
0004479077.tif 000006
【図６】
0004479077.tif 000007
【図７】
0004479077.tif 000008
【図８】
0004479077.tif 000009
【図９】
0004479077.tif 000010